(57)【特許請求の範囲】
【請求項１】
複数の開閉障子と、夫々の開閉障子に設けた障子開閉機構と、障子開閉機構同士を連動させる連動機構と、連動機構を動作させて開閉障子を開閉する開閉操作ハンドルとを備え、連動機構は、開閉障子毎に切替操作部を有し、切替操作部は、各障子開閉機構と連動機構との連結・非連結状態を切り替えることを特徴とするサッシ。
【請求項２】
窓枠の高さ方向中間部に嵌め殺し窓部を備え、嵌め殺し窓部の上方と下方とに開閉障子を設けてあり、連動機構は竪枠の内部に設けてあり、開閉操作ハンドルと切替操作部は竪枠に設けてあることを特徴とする請求項１記載のサッシ。
【請求項３】
障子開閉機構は、窓枠材の長手方向に沿って移動自在に設けた連動棒をそれぞれ有し、連動機構は、窓枠材の内部に設けてあって、連動棒間に渡した連結材と、連動棒と平行に配置したピン係合部材と、一端部が連動棒に係脱自在であり、他端部がピン係合部材の長手方向にスライド自在に係合するピンとを有し、開閉操作ハンドルは、連結材を窓枠材の長手方向に沿って移動させることにより障子開閉機構を作動させるものであり、切替操作部は、ピン係合部材に連結してあり、切替操作部の操作でピンの一端部が連動棒と係脱することを特徴とする請求項１又は２記載のサッシ。
【発明の詳細な説明】
【技術分野】
【０００１】
本発明は、複数の障子を連動して開閉でき、また、個別に開閉することも可能なサッシに関する。
【背景技術】
【０００２】
特許文献１には、嵌め殺し窓部の左右両側に外倒し式に開く開閉障子を設け、両開閉障子に一本のワイヤーを掛け渡し、該ワイヤーの一端部を巻き掛けたハンドルボックスの操作により、両開閉障子を連動して開閉できるようにしたサッシが記載されている。このサッシでは、左右の開閉障子は常に連動して開閉し、個別に開閉することはできない。
また特許文献２には、窓枠の高さ方向中間位置に嵌め殺し窓部（ガラス固定部５）を設けて窓枠内の上部と下部に通風開口部６ａ，６ｂを形成し、上下の通風開口部を上げ下げ障子（閉塞体７ａ，７ｂ）により開閉可能としたサッシが記載されている。上下の上げ下げ障子は、ラックとピニオンを用いた連動機構により連結してあり、把手を持って下側の上げ下げ障子を上昇させると、上側の上げ下げ障子はこれに連動して下降し、上下の通風開口部を同時に開閉できる。上下の上げ下げ障子は常に連動して開閉し、個別に開閉することはできない。
このように従来のサッシでは、複数の障子を連動して開閉することはできても、個別に開閉することができないため、不便であった。
【特許文献１】実開平２−９１８８３号公報
【特許文献２】特開平６−１５８９４７号公報
【発明の開示】
【発明が解決しようとする課題】
【０００３】
本発明は以上に述べた実情に鑑み、複数の障子を連動して開閉することができ、また、個別に開閉することも可能なサッシの提供を目的とする。
【課題を解決するための手段】
【０００４】
上記の課題を達成するために請求項１記載の発明によるサッシは、複数の開閉障子と、夫々の開閉障子に設けた障子開閉機構と、障子開閉機構同士を連動させる連動機構と、連動機構を動作させて開閉障子を開閉する開閉操作ハンドルとを備え、連動機構は、開閉障子毎に切替操作部を有し、切替操作部は、各障子開閉機構と連動機構との連結・非連結状態を切り替えることを特徴とする。
【０００５】
請求項２記載の発明によるサッシは、請求項１記載の発明の構成に加え、窓枠の高さ方向中間部に嵌め殺し窓部を備え、嵌め殺し窓部の上方と下方とに開閉障子を設けてあり、連動機構は竪枠の内部に設けてあり、開閉操作ハンドルと切替操作部は竪枠に設けてあることを特徴とする。
【０００６】
請求項３記載の発明によるサッシは、請求項１又は２記載の発明の構成に加え、障子開閉機構は、窓枠材の長手方向に沿って移動自在に設けた連動棒をそれぞれ有し、連動機構は、窓枠材の内部に設けてあって、連動棒間に渡した連結材と、連動棒と平行に配置したピン係合部材と、一端部が連動棒に係脱自在であり、他端部がピン係合部材の長手方向にスライド自在に係合するピンとを有し、開閉操作ハンドルは、連結材を窓枠材の長手方向に沿って移動させることにより障子開閉機構を作動させるものであり、切替操作部は、ピン係合部材に連結してあり、切替操作部の操作でピンの一端部が連動棒と係脱することを特徴とする。
【発明の効果】
【０００７】
請求項１記載の発明によるサッシは、連動機構に開閉障子毎に設けた切替操作部を全て連結状態として開閉操作ハンドルを操作すれば、複数の開閉障子を連動して開閉することができ、また、開閉操作したい開閉障子用の切替操作部を連結状態とし他の切替操作部を非連結状態とすることで、開閉障子を個別に開閉することもできるので、利便性が向上する。
【０００８】
請求項２記載の発明によるサッシは、嵌め殺し窓部の上方と下方とに開閉障子を設けてあり、上下の開閉障子を同時に開けると、嵌め殺し窓部上方の開口部からは主に室内の暖かい空気が室外に排出され、嵌め殺し窓部下方の開口部からは主に室外の涼しい空気が室内に導入されるから、効率の良い換気が行える。また本発明のサッシは、切替操作部の操作により開閉障子を個別に開閉することもできるので、特に夜間や外出時などには、上側の開閉障子のみを開けることで、防犯性を確保しながら嵌め殺し窓部上方の開口部から換気を行うことができる。連動機構は竪枠の内部に設けてあるため、意匠性が阻害されることがなく、また開閉操作ハンドルと切替操作部が竪枠に設けてあるので、操作性が良好である。
【０００９】
請求項３記載の発明によるサッシは、切替操作部の操作でピンの一端部が連動棒と係脱し、簡易な操作で確実に障子開閉機構と連動機構との連結・非連結状態を切り替えることができる。また、連動機構が窓枠材の内部に設けてあることで意匠性が良好となり、連動棒と平行にピン係合部材が配置してあり、ピンの他端部がピン係合部材の長手方向にスライド自在に係合しており、切替操作部はピン係合部材と連結してあるので、開閉操作ハンドルを操作して連結材が窓枠材の長手方向に沿って移動しても切替操作部は移動せず、窓枠材に切替操作部を挿通する長孔を開けたりする必要がないので、気密性を確保できると共に意匠性を向上できる。
【発明を実施するための最良の形態】
【００１０】
以下、本発明の実施の形態を図面に基づいて説明する。図１は、本発明のサッシの一実施形態を示す室内側正面図であり、図２は図１のＡ−Ａ断面図である。このサッシは、窓枠６が縦長の長方形となっており、窓枠６内の高さ方向中間位置に嵌め殺し窓部７を有し、嵌め殺し窓部７の上方と下方に開閉障子１ａ，１ｂをそれぞれ有している。各開閉障子１ａ，１ｂは、図２に仮想線で示すように、上部側を支点として室外側に回動して開く、いわゆる突き出し窓となっており、左右の竪框８ａ，８ｂと竪枠９ａ，９ｂとの間に障子開閉機構２ａ，２ｂをそれぞれ備えている。室内側から見て右側（以下、単に「右側」「左側」といったときには、室内側から見ての「右側」「左側」を意味する）の竪枠９ａの内部には、上下の障子の開閉機構２ａ，２ｂを連動させる連動機構３を設けてある。右側の竪枠９ａの室内側下部には、連動機構３を上下動させて開閉障子１ａ，１ｂを開閉する開閉操作ハンドル４を設けてある。
【００１１】
まず、障子開閉機構２ａ，２ｂの構成について説明する。左右の竪枠９ａ，９ｂには、図１と図６に示すように、連動棒１０ａ，１０ｂ，１０ｃ，１０ｄが上下動可能に取付けてある。右側の竪枠９ａ内の上側の連動棒１０ａは下方に長くのびており、下部が連動機構３と連結される。右側の竪枠９ａ内の下側の連動棒１０ｂは上方に長くのびており、上部が連動機構３と連結される。連動棒１０ａ，１０ｂ，１０ｃ，１０ｄには、図３，７に示すように、ブラケット１１が取付けてあり、開閉障子１ａ，１ｂの竪框８ａ，８ｂにはブラケット１２が取付けてあり、両ブラケット１１，１２間に作動アーム１３がピン１４，１４で取付けてある。連動棒のブラケット１１には、鉤状のロック片１５を有しており、開閉障子１ａ，１ｂが閉鎖した状態では、ロック片１５が開閉障子の竪框８ａ，８ｂ下部に取付けたロックピン１６と係合することで、開閉障子１ａ，１ｂがロックされる。左右の竪枠９ａ，９ｂ間には、図７に示すように、左右連動シャフト１７が端部をシャフト受け１８で支持して設けてあり、左右連動シャフト１８には左右連動アーム１９が固定して取付けてある。左右連動アーム１９の先端部と作動アーム１３の中間部間には、連結アーム２０がピン２１，２１で取付けてある。
【００１２】
障子開閉機構２ａ，２ｂは以上のように構成され、開閉操作ハンドル４を開き側に操作すると、図４に示すように、右側の連動棒１０ａ，１０ｂが上方にスライドし、それに伴って開閉障子１ａ，１ｂが作動アーム１３で押し上げられて開く。開閉障子１ａ，１ｂの両側の作動アーム１３は、連結アーム２０と左右連動アーム１９及び左右連動シャフト１７で連結してあるため、連動して回動する。
【００１３】
次に、連動機構３の構成について説明する。右側の竪枠９ａ内には、図８に示すように、金属板を折り曲げて形成したクラッチケース２２が収納してある。クラッチケース２２は、下端部が開閉操作ハンドル４の操作により回動するアーム２３とリンク２４で連結してあり、開閉操作ハンドル４の操作により上下動する。なお、図８はクラッチケース２２が下方に移動した位置にあって、上下の開閉障子１ａ，１ｂが閉鎖しているときの状態を示している。クラッチケース２２の上部と下部には、ピンケース２５ａ，２５ｂがビス２６で取付けてあり、ピンケース２５ａ，２５ｂには鍔付きのピン２７ａ，２７ｂが外周側面から出没可能に設けてある。上側のピン２７ａは、上側の障子開閉機構２ａよりのびる連動棒１０ａの下端部に形成した孔２８ａに差し込まれ、下側のピン２７ｂは下側の障子開閉機構２ｂよりのびる連動棒１０ｂの上端部に形成した孔２８ｂに差し込まれており、これらのピン２７ａ，２７ｂにより連動機構３と障子開閉機構２ａ，２ｂとが連結状態とされる。竪枠９ａの内周側の壁の内側には、図８，９に示すように、コ字状断面の裏板２９ａ，２９ｂが上下方向に間隔をおいて取付けてあり、裏板２９ａ，２９ｂの内側にＴ字形断面のアリ溝３０が長手方向に形成された棒状のピン係合部材３１ａ，３１ｂがそれぞれ設けてある。上下のピン係合部材３１ａ，３１ｂには、窓枠内周側から竪枠９ａに挿入した切替操作ツマミ５ａ，５ｂが取付けてあり、上下のピン係合部材３１ａ，３１ｂのアリ溝３０にピン２７ａ，２７ｂの鍔部３２がそれぞれ係合している。ピン２７ａ，２７ｂには、周囲に溝３３が２列形成してあり、ピンケース２５ａ，２５ｂ内に保持させたバネ３４を該溝３３に係合することで、ピン２７ａ，２７ｂが突出位置と没入位置でそれぞれ保持されるようにしている。
【００１４】
連動機構３は以上のように構成され、開閉操作ハンドル４を開き側に操作すると、図１０に示すように、アーム２３が上方に回動し、それに伴ってクラッチケース２２がリンク２４に押し上げられて上方に移動し、上下の連動棒１０ａ，１０ｂもピン２７ａ，２７ｂが係合して連動機構３と連結状態となっているために一緒に上昇する。これにより上下の開閉障子１ａ，１ｂが連動して開く。このとき、ピンケース２５ａ，２５ｂ下端部に形成したストッパー３５がピン係合部材３１ａ，３１ｂの下面に当接し、クラッチケース２２の上昇限及び開閉障子１ａ，１ｂの最大開き角度を規制する。その後、開閉操作ハンドル４を閉じ側に操作すれば、クラッチケース２２と連動棒１０ａ，１０ｂが共に下降し、それに伴って上下の開閉障子１ａ，１ｂが連動して閉じる。
【００１５】
本サッシは、上述のように上下の開閉障子１ａ，１ｂを連動して開閉できることに加え、上下の開閉障子１ａ，１ｂを個別に開閉することも可能である。上側の開閉障子１ａのみを開閉する場合について説明すると、図１１（ａ）と図１２に示すように、下側の切替操作ツマミ５ｂを引っ張ると、ピン係合部材３１ｂを介してピン２７ｂが引っ張られ、ピン２７ｂが連動棒１０ｂの孔２８ｂから抜ける。これにより連動機構３と下側の障子開閉機構２ｂとが非連結状態となる。上側の切替操作ツマミ５ａは押し込まれており、ピン２７ａが連動棒１０ａの孔２８ａに差し込まれている。この状態で開閉操作ハンドル４を開き側に操作すると、図１１（ｂ）に示すように、クラッチケース２２が上昇し、上側の連動棒１０ａはピン２７ａが係合してクラッチケース２２と連結状態となっているために一緒に上昇するが、下側の連動棒１０ｂはピン２７ｂが孔２８ｂから抜けてクラッチケース２２と非連結状態となっているために上昇しない。したがって、下側の開閉障子１ｂは閉じたままで上側の開閉障子１ａのみが開く。その後、開閉操作ハンドル４を閉じ側に操作すれば、クラッチケース２２及び連動棒１０ａが下降し、上側の開閉障子１ａが閉じる。下側の開閉障子１ｂのみを開閉する場合には、上側の切替操作ツマミ５ａを引き出し状態とし、下側の切替操作ツマミ５ｂを押し込み状態とすればよい。
【００１６】
以上に述べたように本サッシは、開閉操作ハンドル４の操作により上下の開閉障子１ａ，１ｂを連動して開閉でき、さらに切替操作ツマミ５ａ，５ｂを押し込み位置と引き出し位置に選択的に移動させる簡易な操作で、上下の開閉障子１ａ，１ｂを個別に開閉することもできるものであり、上下の開閉障子１ａ，１ｂを同時に開いたときには、上側の開閉障子１ａにより開放する嵌め殺し窓部７上方の開口部から室内の暖かい空気が室外に放出され、同時に下側の開閉障子１ｂにより開放する嵌め殺し窓部７下方の開口部から室外の涼しい空気が室内に導入されるから、効率の良い換気が行える。外出時や夜間には、下側の開閉障子１ｂを閉鎖・ロック状態とし、上側の開閉障子１ａのみを開いた状態とすることで、防犯性を確保しながら嵌め殺し窓部７上方の開口部から換気を行い、室内の過度の温度上昇を防止できる。
【００１７】
本発明は以上に述べた実施形態に限定されない。開閉障子の開く形態は任意であり、例えば回転窓や外倒し窓、内倒し窓、すべり出し窓、上げ下げ窓とすることもできる。嵌め殺し窓部は必ずしも無くてもよく、開閉障子のみを上下に並べたものであってもよい。また開閉障子は、左右方向に複数並べて設けることもできる。
【図面の簡単な説明】
【００１８】
【図１】本発明のサッシの一実施形態を示す室内側正面図である。
【図２】図１のＡ−Ａ断面図である。
【図３】上側の開閉障子の部分を拡大して示す縦断面図である。
【図４】同じく上側の開閉障子の部分を拡大して示す縦断面図であって、障子が開いたときの状態を示している。
【図５】上側の開閉障子の部分の斜視図であって、障子が開いたときの状態を示している。
【図６】図３のＢ−Ｂ断面図である。
【図７】障子開閉機構の室内側正面図である。
【図８】上下の開閉障子を連動して開閉操作する場合における障子閉鎖時の連動機構の状態を示す図であって、（ａ）は連動機構を窓枠内周側から見た図であり、（ｂ）は連動機構を室内側から見た縦断面図である。
【図９】図８のＣ−Ｃ断面図である。
【図１０】上下の開閉障子を連動して開閉操作する場合における障子開放時の連動機構の状態を示す図であって、（ａ）は連動機構を窓枠内周側から見た図であり、（ｂ）は連動機構を室内側から見た縦断面図である。
【図１１】上側の開閉障子を個別に開閉操作する場合における連動機構の状態を示す縦断面図であって、（ａ）は上下の開閉障子が閉じているときの状態、（ｂ）は上側の開閉障子のみが開いたときの状態を示している。
【図１２】図１１のＤ−Ｄ断面図である。
【符号の説明】
【００１９】
１ａ，１ｂ  開閉障子
２ａ，２ｂ  障子開閉機構  
３  連動機構
４  開閉操作ハンドル
５ａ，５ｂ  切替操作ツマミ（切替操作部）
６  窓枠
７  嵌め殺し窓部
９ａ，９ｂ  竪枠（窓枠材）
１０ａ，１０ｂ  連動棒
２２  クラッチケース（連結材）
２７ａ，２７ｂ  ピン
３１ａ，３１ｂ  ピン係合部材
【図１】
0005015862.tif 000002
【図２】
0005015862.tif 000003
【図３】
0005015862.tif 000004
【図４】
0005015862.tif 000005
【図５】
0005015862.tif 000006
【図６】
0005015862.tif 000007
【図７】
0005015862.tif 000008
【図８】
0005015862.tif 000009
【図９】
0005015862.tif 000010
【図１０】
0005015862.tif 000011
【図１１】
0005015862.tif 000012
【図１２】
0005015862.tif 000013